(57)【要約】【課題】導光板の形成を容易にする。【解決手段】光シャッター１０は、裏面側にシャッター領域３を備えた導光板１と、この導光板１の小口面２から導光板１内へ光Ｌを投射する光源４とを備え、光源４を発光させないときは正面側からシャッター領域３を介して裏面側を透視でき、光源１を発光させたときには導光板１内へ投射した光Ｌがシャッター領域３で散乱してシャッター領域３を発光させ、シャッター領域３を透過する光Ｋを正面側から視覚的に識別できないようにしたものであって、シャッター領域３が、導光板１の裏面１ｂに、多孔シート１１の光散乱部とした一方面１１ａを直接又は透明な貼着用シート１３を介して貼り付けて形成されている。【選択図】図１
2009003341.tif 000002
【特許請求の範囲】
【請求項１】
裏面側にシャッター領域を備えた導光板と、この導光板の小口面から導光板内へ光を投射する光源とを備え、光源を発光させないときは正面側からシャッター領域を介して裏面側を透視でき、光源を発光させたときには導光板内へ投射した光がシャッター領域で散乱してシャッター領域を発光させ、シャッター領域を透過する光を正面側から視覚的に識別できないようにした光シャッターにおいて、前記シャッター領域は、前記導光板の裏面に、多孔シートの光散乱部とした一方面を直接又は透明な貼着用シートを介して貼り付けて形成されていることを特徴とする光シャッター。
【請求項２】
前記多孔シートの他方面に、透明な防汚用シートを貼り付けた請求項１に記載の光シャッター。
【請求項３】
前記多孔シートの一方面に模様を描いている請求項１又は２に記載の光シャッター。
【請求項４】
裏面側にシャッター領域を備えた導光板と、この導光板の小口面から導光板内へ光を投射する光源とを備え、光源を発光させないときは正面側からシャッター領域を介して裏面側を透視でき、光源を発光させたときには導光板内へ投射した光がシャッター領域で散乱してシャッター領域を発光させ、シャッター領域を透過する光を正面側から視覚的に識別できないようにした光シャッターにおいて、前記シャッター領域は、前記導光板の裏面に、他方面を平滑とし一方面側に多数の光散乱部を形成すると共に光散乱部以外の箇所を透明としたシートの一方面側を直接又は透明な貼着用シートを介して貼り付けて形成されていることを特徴とする光シャッター。
【請求項５】
前記シートの他方面に光を通す模様が描かれている請求項４記載の光シャッター。
【請求項６】
裏面側にシャッター領域を備えた導光板と、この導光板の小口面から導光板内へ光を投射する光源とを備え、光源を発光させないときは正面側からシャッター領域を介して裏面側を透視でき、光源を発光させたときには導光板内へ投射した光がシャッター領域で散乱してシャッター領域を発光させ、シャッター領域を透過する光を正面側から視覚的に識別できないようにした光シャッターにおいて、前記シャッター領域は、前記導光板の裏面にインクを部分的に印刷して多数の光散乱部が形成され、これら光散乱部を除く箇所を透視可能としたことを特徴とする光シャッター。
【請求項７】
前記シャッター領域に、透明な防汚用シートを貼り付けた請求項６記載の光シャッター。
【請求項８】
前記防汚用シートに光を通す模様が描かれている請求項７に記載の光シャッター。
【発明の詳細な説明】
【技術分野】
【０００１】
本発明は、通常は透視可能であり、必要時に光源から投射する光をシャッター領域で散乱させることにより透視不可能にする光シャッターの改良に関する。
【背景技術】
【０００２】
特許文献１に記載された光シャッター５０は、図８〜図１０に示す如く、光Ｋを透過するシャッター領域５３を裏面側に備えた透明板状の導光板５１と、導光板５１の小口面５２から導光板５１内へ光Ｌ（図９及び図１０参照）を投射する光源５４とを備えたものである。前記光シャッター５０は、図８に示す如く、光源５４を発光させないときは、シャッター領域５３を介して裏面側から正面側へ透過する透過光Ｋをそのまま視覚的に識別させて、正面側からシャッター領域５３を介して裏面側を透視可能な可視状態（つまり、物品Ｘが見える状態）にし、図９に示す如く、光源５４を発光させたときには、小口面５２から導光板５１内へ投射された入射光Ｌをシャッター領域５３で散乱させ、散乱光Ｍを目視させることでシャッター領域５３を透過する透過光Ｋを正面側から視覚的に識別できない不可視状態（つまり、物品Ｘが見えない状態）にするものである。前記光シャッター５０は、図１０に示す如く、シャッター領域５３が導光板５１の裏面側の主表面５１ａに粗面加工（例えば、磨りガラスを製作するためのサンドブラスト法や、化学薬品によるエッチング法や、刃物等による機械的加工法等）を施して形成した粗面Ｓからなる。
【特許文献１】特許第３８８２１０８号公報
【発明の開示】
【発明が解決しようとする課題】
【０００３】
しかし、前記光シャッター５０には、以下の３つの問題があった。
（１）導光板５１の裏面側の主表面５１ａに粗面加工を直接施す必要があるので、導光板５１を形成し難かった。
（２）シャッター領域５３が、裏面側に露出した粗面Ｓからなるので、汚れ易かった。
（３）裏面側に露出した粗面Ｓが邪魔して、シャッター領域５３に模様を施し難かった。
【０００４】
本発明は、上記問題を解決するために、導光板の形成を容易にし、シャッター領域が汚れるのを防止でき、又、シャッター領域に模様を施すことができる光シャッターの提供を目的とする。
【課題を解決するための手段】
【０００５】
導光板の形成を容易にするために請求項１記載の本発明が採用した手段は、裏面側にシャッター領域を備えた導光板と、この導光板の小口面から導光板内へ光を投射する光源とを備え、光源を発光させないときは正面側からシャッター領域を介して裏面側を透視でき、光源を発光させたときには導光板内へ投射した光がシャッター領域で散乱してシャッター領域を発光させ、シャッター領域を透過する光を正面側から視覚的に識別できないようにした光シャッターにおいて、前記シャッター領域は、前記導光板の裏面に、多孔シートの光散乱部とした一方面を直接又は透明な貼着用シートを介して貼り付けて形成されていることを特徴とする光シャッターである。
【０００６】
シャッター領域が汚れるのを防止するために請求項２記載の本発明が採用した手段は、前記多孔シートの他方面に、透明な防汚用シートを貼り付けた請求項１に記載の光シャッターである。
【０００７】
シャッター領域に模様を施すために請求項３記載の本発明が採用した手段は、前記多孔シートの一方面に模様を描いている請求項１又は２記載の光シャッターである。
【０００８】
導光板の形成を容易にすると共にシャッター領域が汚れるのを防止するために請求項４記載の本発明が採用した手段は、裏面側にシャッター領域を備えた導光板と、この導光板の小口面から導光板内へ光を投射する光源とを備え、光源を発光させないときは正面側からシャッター領域を介して裏面側を透視でき、光源を発光させたときには導光板内へ投射した光がシャッター領域で散乱してシャッター領域を発光させ、シャッター領域を透過する光を正面側から視覚的に識別できないようにした光シャッターにおいて、前記シャッター領域は、前記導光板の裏面に、他方面を平滑とし一方面側に多数の光散乱部を形成すると共に光散乱部以外の箇所を透明としたシートの一方面側を直接又は透明な貼着用シートを介して貼り付けて形成されていることを特徴とする光シャッターである。
なお、シートの光散乱部は、シートの平滑面にインクを適宜間隔でドット状又は筋状に印刷した印刷部で形成するとよい。
【０００９】
シャッター領域に模様を施すために請求項５記載の本発明が採用した手段は、前記シートの他方面に光を通す模様が描かれている請求項４記載の光シャッターである。
【００１０】
導光板の形成を容易にするために請求項６記載の本発明が採用した手段は、裏面側にシャッター領域を備えた導光板と、この導光板の小口面から導光板内へ光を投射する光源とを備え、光源を発光させないときは正面側からシャッター領域を介して裏面側を透視でき、光源を発光させたときには導光板内へ投射した光がシャッター領域で散乱してシャッター領域を発光させ、シャッター領域を透過する光を正面側から視覚的に識別できないようにした光シャッターにおいて、前記シャッター領域は、前記導光板の裏面にインクを部分的に印刷して多数の光散乱部が形成され、これら光散乱部を除く箇所を透視可能としたことを特徴とする光シャッターである。
【００１１】
シャッター領域が汚れるのを防止するために請求項７記載の本発明が採用した手段は、前記シャッター領域に、透明な防汚用シートを貼り付けた請求項６記載の光シャッターである。
【００１２】
シャッター領域に模様を施すために請求項８記載の本発明が採用した手段は、前記防汚用シートに光を通す模様が描かれている請求項７に記載の光シャッターである。
【発明の効果】
【００１３】
請求項１記載の本発明に係る光シャッターは、光源を発光させないときは多孔シートに設けた多数の孔を介して裏面側を透視でき、光源を発光させたときは導光板内へ投射した光が多孔シートの光散乱部とした一方面で散乱して、多孔シートの多数の孔を透過する光を正面側から視覚的に識別できないようにできる。したがって、多孔シートが光散乱部を有するので、導光板の裏面に直接施していた従来の粗面加工を省略でき、導光板の形成を容易にできる。
【００１４】
請求項２記載の本発明に係る光シャッターは、多孔シートの他方面の凹となる孔の部分を防汚用シートで覆って他方面側を平滑又は平滑に近い状態にできるので、シャッター領域が汚れるのを防止できる。
【００１５】
請求項３記載の本発明に係る光シャッターは、多孔シートの一方面に描かれた模様が正面側から見え、シャッター領域に模様が施されることになる。
【００１６】
請求項４記載の本発明に係る光シャッターは、光源を発光させないときはシートの光散乱部以外の透明な箇所を介して裏面側を透視でき、光源を発光させたときは導光板内へ投射した光がシートの一方面側に形成した多数の光散乱部で散乱して、前記シートの光散乱部以外の透明な箇所を透過する光を正面側から視覚的に識別できないようにできる。したがって、シートが光散乱部を有するので、導光板の裏面に直接施していた従来の粗面加工を省略でき、導光板の形成を容易にできる。また、当該光シャッターは、シートの光散乱部が形成された一方面側を導光板に貼り付けて他方面側を平滑又は平滑に近い状態にできるので、シャッター領域が汚れるのを防止できる。
【００１７】
請求項５記載の本発明に係る光シャッターは、シートの他方面に描かれた模様が正面側から見え、シャッター領域に模様が施されることになる。
【００１８】
請求項６記載の本発明に係る光シャッターは、光源を発光させないときはインクを部分的に印刷して形成した光散乱部を除く箇所を介して裏面側を透視でき、光源を発光させたときは導光板内へ投射した光がインクを部分的に印刷して形成した多数の光散乱部で散乱して、前記光散乱部を除く箇所を透過する光を正面側から視覚的に識別できないようにできる。したがって、導光板の裏面にインクを部分的に印刷することで多数の光散乱部を形成できるので、導光板の裏面に直接施していた従来の粗面加工を省略でき、導光板の形成を容易にできる。
【００１９】
請求項７記載の本発明に係る光シャッターは、導光板の裏面側に部分的に印刷して成る光散乱部の間に形成される凹部を防汚用シートで覆って他方面側を平滑又は平滑に近い状態にできるので、シャッター領域が汚れるのを防止できる。
【００２０】
請求項８記載の本発明に係る光シャッターは、防汚用シートに描かれた模様が正面側から見え、シャッター領域に模様が施されることになる。
【発明を実施するための最良の形態】
【００２１】
本発明に係る光シャッター（以下、「本発明光シャッター」という。）について実施の形態を示す図面に基いて説明する。
【００２２】
本発明光シャッターは、洋服ダンスや食器棚等の各種収納具の扉部材（例えば、図７に示すキッチンキャビネットＵの扉Ｔ）や、図示を省略するが、浴室と更衣室の間に設けられる仕切り板や、クローゼットの扉や、会議室の間仕切りや、扉や、車の窓や、電車の窓等、通常は裏面側を透視可能にし必要時に裏面側を透視不可能にすることが望まれる箇所に適用されるものである。
【００２３】
（第１の実施の形態）
図１〜図３は、本発明光シャッターの第１の実施の形態を示すものである。図１は、導光板１に多孔シート１１を直接貼り付けた態様を拡大して示す側面断面図であって、図（Ａ）は光源４を発光させない可視状態を示すものであり、図（Ｂ）は光源４を発光させた不可視状態を示すものである。図２は、導光板１に貼着用シート１３を介して多孔シート１１を貼り付けた態様を拡大して示す側面断面図である。図３の図（Ａ）は光源４を発光させない可視状態を示す正面図であり、同図（Ｂ）は光源４を発光させた不可視状態を示す正面図である。
【００２４】
本発明光シャッター１０は、図１及び図２に示す如く、裏面側に光Ｋを透過できるシャッター領域３を備えた透明板状の導光板１と、この導光板１の小口面２から導光板１内へ光Ｌ（図１（Ｂ）参照）を投射する光源４とを備えたものである。本発明光シャッター１０の特徴とするところは、導光板１の裏面１ｂに多孔シート１１の光散乱部とした一方面１１ａを、図１に示す如く接着剤を用いる等して直接、又は図２に示す如く透明な貼着用シート１３を介して、貼り付けてシャッター領域３を形成したことにあり、その他、多孔シート１１の他方面１１ｂに透明な防汚用シート１２を貼り付けてあることである。貼着用シート１３は、表裏両面に粘着層が形成された両面粘着シートであって、無色透明のものを採用するとよい。
【００２５】
前記導光板１は、透明な板状材であって、使用態様に応じて適宜素材（例えば、強化ガラスやアクリル板等）、適宜形状（例えば、厚み１〜１０ｍｍ、幅１０〜２００ｃｍ）を選択したものである。前記光源４には、小型で消費電力の小さいＬＥＤを用いるのが最適であるが、場合によっては他の発光器を用いることも可能である。
【００２６】
前記多孔シート１１は、樹脂シートや金属箔等からなる。多孔シート１１は、図３に示す如く、孔１１ｃを、孔の直径が１〜２ｍｍ（好ましくは１．５ｍｍ程度），隣接孔どうしの間隔が０．２〜０．８ｍｍ（好ましくは０．５ｍｍ程度）で多数開設して、開口率（単位面積当に孔の占める面積の割合）を４０〜７０％（好ましくは５０〜６０％）にしてある。
【００２７】
前記多孔シート１１は、孔１１ｃが光Ｋを透過することで、光源４を発光させないときの裏面側の目視を確保してあり、一方面１１ａにおける孔１１ｃどうしの間の部分や、孔１１ｃの内周部分等で形成した光散乱部が、光源４の光Ｌを散乱Ｍするようになっている。
【００２８】
前記多孔シート１１は、本例では、一方面１１ａを全体として明るく形成して、一方面１１ａが光Ｌを強く散乱するようにしてある。多孔シート１１は、本例の如く、一方面１１ａを全体として明るく着色する態様（例えば、図示は省略するが、白色や白色を基調とした単一色や光沢を有する色等を一方面１１ａ全体に印刷した態様や、図３に示す如く、輪郭線Ｐ１−ａが黒色で着色されているが全体として明るく見える山の絵等の模様Ｐ１を印刷した態様等）や、その他、素地の明るい素材（例えば、白色の樹脂シートや、光沢を有する金属箔等）をそのまま用いた態様等を適用できる。
【００２９】
又、前記多孔シート１１は、本例では、多孔シート１１の他方面１１ｂの全体を黒色又は黒色を基調とする単一色に着色する等して、他方面１１ｂを全体として暗く形成し、他方面１１ｂにおける光の散乱をしにくくしてある。この態様は、浴室と更衣室の間に設けられる仕切り板等に適用される。
【００３０】
前記防汚用シート１２は、透明な樹脂シートであって、本例では、光の透過性の良好な無色透明のものを採用してあるが、外観を良くするために、光透過できることを確保した着色を施した透明状態（以下、「色付き透明」という。）のものを採用することもある。
【００３１】
本発明光シャッター１０は、図１（Ａ）及び図３（Ａ）の如く光源４を発光させないときは、裏面側から、透明な防汚用シート１２，多孔シート１１の多数の孔１１ｃ，導光板１を介して、正面側へ透過する透過光Ｋをそのまま視覚的に識別し、正面側から多数の孔１１ｃを介して裏面側を透視可能な可視状態（つまり、物品Ｘが見える状態）にでき、図１（Ｂ）及び図３（Ｂ）の如く光源４を発光させたときは、小口面２から導光板１内へ投射された入射光Ｌが多孔シート１１の光散乱部とした一方面１１ａで散乱し、透過光Ｋよりも明るく感じられる強い散乱光Ｍを目視させることで多数の孔１１ｃを透過し散乱光Ｍよりも暗く感じられる弱い透過光Ｋを正面側から視覚的に識別できない不可視状態（つまり、物品Ｘが見えない状態）にすることができる。
【００３２】
本発明光シャッター１０は、多孔シート１１が光散乱部を有するので、導光板１の裏面１ｂに直接施していた従来の粗面加工を省略でき、導光板１の形成を容易にできる。本発明光シャッター１０は、多孔シート１１の一方面１１ａを全体として明るく形成してあるので、光源４を発光させたとき多孔シート１１の一方面１１ａで光Ｌを良好に散乱させて、より一層、正面側から裏面側を視覚的に識別し難くすることができる。
【００３３】
本発明光シャッター１０は、多孔シート１１の他方面１１ｂの凹となる孔１１ｃの部分を防汚用シート１２で覆って他方面１１ｂ側を平滑又は平滑に近い状態にできるので、シャッター領域３が汚れるのを防止できる。なお、防汚用シート１２は、透明で光Ｋを通すので、光源４を発光させない可視状態（図１（Ａ）参照）の妨げとならない。本発明光シャッター１０は、多孔シート１１の一方面１１ａに描かれた模様Ｐ１（図３参照）が正面側から見え、シャッター領域３に施された模様Ｐ１により、意匠的に優れたものを得ることができる。
【００３４】
本発明光シャッター１０は、多孔シート１１の他方面１１ｂを全体として暗く形成した態様であるので、多孔シート１１の他方面１１ｂの散乱を抑えて眩しくないようにでき、裏面側から正面側を視認し易い。この態様を適用した本発明光シャッター１０は、浴室と更衣室の間を仕切る仕切り板に用いれば、裏面側となる浴室側の入浴者が正面側となる更衣室への人の出入を素早く察知できる。
【００３５】
（第２の実施の形態）
図４及び図５は、本発明光シャッターの第２の実施の形態を示すものである。図４は、導光板１に貼着テープ２４を介してシート２１を貼り付けた態様を拡大して示す側面断面図である。図５は、導光板１にシート２１を直接貼り付けた態様を拡大して示す側面断面図であって、図（Ａ）は光源４を発光させない可視状態を示すものであり、図（Ｂ）は光源４を発光させた不可視状態を示すものである。
【００３６】
本実施の形態に係る本発明光シャッター２０が第１の実施の形態の本発明光シャッター１０と大きく相違する点は、第１の実施の形態で設けた多孔シート１１（図１〜図３参照）の代わりに、導光板１の裏面１ｂに、他方面２１ｂを平滑とし一方面２１ａ側に多数の光散乱部２２を形成すると共に光散乱部２２以外の箇所２３を透明としたシート２１の一方面２１ａ側を、図５に示す如く接着剤を用いる等して直接、又は図４に示す如く透明な貼着用シート２４を介して、貼り付けてシャッター領域３を形成していることにある。貼着用シート２４は、表裏両面に粘着層が形成された両面粘着シートであって、無色透明のものを採用するとよい。
【００３７】
この相違点以外の構成は、第１の実施の形態における本発明光シャッター１０と実質的に同一であり、図４及び図５に示す符号のうち、図１〜図３（第１の実施の形態）と同一のものは、同一の構成部材を示す。
【００３８】
前記シート２１は、透明の樹脂シートからなり、本例では、光透過性の良好な無色透明にしてあるが、外観を良くするために色付き透明にすることもある。前記シート２１は、光散乱部２２が、図４及び図５に示す如く、インクを適宜間隔でドット状又は筋状に印刷した印刷部（塗着したインク）で形成されている。該インクは、光Ｌを散乱するものであれば良く、例えば、白を基調とする色のものや、光沢を有する色のものや、無色透明のものや色付き透明のもの等を採用することができる。前記シート２１は、透明であるので、光散乱部２２以外の箇所２３が光Ｋを透過できるようになっている。前記シート２１は、他方面２１ｂに色付き透明な状態で模様Ｐ２を必要に応じて印刷してある。
【００３９】
本発明光シャッター２０は、図５（Ａ）の如く光源４を発光させないときは、裏面側から、シート２１の光散乱部２２以外の透明な箇所２３，透明な箇所２３及び導光板１の間のスペース，導光板１を介して、正面側へ透過する透過光Ｋをそのまま視覚的に識別し、正面側から前記透明な箇所２３を介して裏面側を透視可能な可視状態（つまり、物品Ｘが見える状態）にでき、図５（Ｂ）の如く光源４を発光させたときは、小口面２から導光板１内へ投射された入射光Ｌがシート２１の一方面２１ａ側に形成した光散乱部２２で散乱し、透過光Ｋよりも明るく感じられる強い散乱光Ｍを目視させることで前記透明な箇所２３を透過し散乱光Ｍよりも暗く感じられる弱い透過光Ｋを正面側から視覚的に識別できない不可視状態（つまり、物品Ｘが見えない状態）にすることができる。
【００４０】
本発明光シャッター２０は、シート２１が光散乱部２２を有するので、導光板１の裏面１ｂに直接施していた従来の粗面加工を省略でき、導光板１の形成を容易にできる。そして、本発明光シャッター２０は、シート２１の光散乱部２２が形成された一方面２１ａ側を導光板１に貼り付けて他方面２１ｂ側を平滑又は平滑に近い状態にできるので、シャッター領域３が汚れるのを防止できる。更に、本発明光シャッター２０は、シート２１の他方面２１ｂに描かれた模様Ｐ２（図３参照）がシート２１の透明部分を介して正面側から見え、シャッター領域３に施された模様Ｐ２により、意匠的に優れたものを得ることができる。なお、模様Ｐ２は、透明で光Ｋを通すので、光源４を散乱させない可視状態（図４（Ａ）参照）の妨げとならない。
【００４１】
（第３の実施の形態）
図６は、本発明光シャッターの第３の実施の形態を拡大して示す側面断面図であって、図（Ａ）は光源４を発光させない可視状態を示すものであり、図（Ｂ）は光源４を発光させた不可視状態を示すものである。
【００４２】
本実施の形態に係る本発明光シャッター３０が第１の実施の形態の本発明光シャッター１０と大きく相違する点は、第１の実施の形態で設けた多孔シート１１（図１〜図３参照）の代わりに、導光板１の裏面１ｂにインクを部分的に印刷して多数の光散乱部３１を形成し、これら光散乱部３１を除く箇所３２を表裏面の間で透視可能にしてシャッター領域３を形成したことである。
【００４３】
この相違点以外の構成は、第１の実施の形態における本発明光シャッター１０と実質的に同一であり、図６に示す符号のうち、図１〜図３（第１の実施の形態）と同一のものは、同一の構成部材を示す。
【００４４】
本発明光シャッター３０は、光散乱部３１が、導光板１の裏面１ｂにインクを適宜間隔でドット状又は筋状に印刷した印刷部（塗着したインク）からなる。該インクは、光Ｌを良好に散乱するものであれば良く、例えば、白を基調とする色のものや、光沢を有する色のものや、無色透明のもの等を採用することができる。本発明光シャッター３０は、導光板１の裏面１ｂに防汚用シート３３を貼り付けて、ドット状又は筋状に印刷した印刷部からなる光散乱部３１の間に形成される凹部を覆うようにしてある。なお、防汚用シート３３は、透明な樹脂シートからなり、本例では、光透過性の良好な無色透明のものを採用してあるが、外観を良くするために色付き透明のものを採用することもある。本発明光シャッター３０は、防汚シート３３に色付き透明状態で模様Ｐ３が一方面（図６参照）又は他方面（図示省略）に描かれてある。
【００４５】
本発明光シャッター３０は、図６（Ａ）の如く光源４を発光させないときは、裏面側から、透明な防汚用シート３３，防汚用シート３３及び導光板１の間の光散乱部３１を除く箇所３２，導光板１を介して、正面側へ透過する透過光Ｋをそのまま視覚的に識別し、正面側から透視可能な箇所３２を介して裏面側を透視可能な可視状態（つまり、物品Ｘが見える状態）にでき、図４（Ｂ）の如く光源４を発光させたときは、小口面２から導光板１内へ投射された入射光Ｌがインクを部分的に印刷して形成した多数の光散乱部３１で散乱し、透過光Ｋよりも明るく感じられる強い散乱光Ｍを目視させることで光散乱部３１を除く箇所３２を透過し散乱光Ｍよりも暗く感じられる弱い透過光Ｋを正面側から視覚的に識別できない不可視状態（つまり、物品Ｘが見えない状態）にすることができる。
【００４６】
本発明光シャッター３０は、導光板１の裏面１ｂにインクを部分的に印刷することで多数の光散乱部３１を形成できるので、導光板１の裏面１ｂに直接施していた従来の粗面加工を省略でき、導光板１の形成を容易にできる。そして、本発明光シャッター３０は、導光板１の裏面側の光散乱部３１の間の凹となる箇所３２を防汚用シート３３で覆って導光板１の裏面側を平滑又は平滑に近い状態にできるので、シャッター領域３が汚れるのを防止できる。なお、防汚用シート３３は、光を通すので、光源４を発光させない可視状態（図６（Ａ）参照）の妨げとならない。更に、本発明光シャッター３０は、防汚用シート３３に色付き透明状態で描かれた模様Ｐ３が正面側から見え、シャッター領域３に施された模様Ｐ３により、意匠的に優れたものを得ることができる。なお、模様Ｐ３は、色付き透明で光Ｋを通すので、光源４を発光させない可視状態（図６（Ａ）参照）の妨げとならない。
【図面の簡単な説明】
【００４７】
【図１】本発明光シャッターの第１の実施の形態を示すものであって、導光板に多孔シートを直接貼り付けた態様を拡大して示す側面断面図であり、図（Ａ）は光源を発光させない可視状態を示すものであり、図（Ｂ）は光源を発光させた不可視状態を示すものである。
【図２】同実施の形態において、導光板に貼着用シートを介して多孔シートを貼り付けた態様を拡大して示す側面断面図である。
【図３】同実施の形態において、図（Ａ）は光源を発光させない可視状態を示す正面図であり、図（Ｂ）は光源を発光させた不可視状態を示す正面図である。
【図４】本発明光シャッターの第２の実施の形態を示すものであって、導光板に貼着テープを介してシートを貼り付けた態様を拡大して示す側面断面図である。
【図５】同実施の形態において、導光板にシートを直接貼り付けた態様を拡大して示す側面断面図であり、図（Ａ）は光源を発光させない可視状態を示すものであり、図（Ｂ）は光源を発光させた不可視状態を示すものである。
【図６】本発明光シャッターの第３の実施の形態を拡大して示す側面断面図であって、図（Ａ）は光源を発光させない可視状態を示すものであり、図（Ｂ）は光源を発光させた不可視状態を示すものである。
【図７】第１〜３の実施の形態のうちのいずれかを適用した本発明光シャッターを複数個備えたキッチン設備を示す正面図であって、図（Ａ）は、光源を発光させない可視状態を示すものであり、図（Ｂ）は、光源を発光させた不可視状態を示すものである。
【図８】従来の光シャッターにおける、光源を発光させない可視状態を示すものであって、図（Ａ）は正面図であり、図（Ｂ）は側面断面図である。
【図９】従来の光シャッターにおける、光源を発光させた不可視状態を示すものであって、図（Ａ）は正面図であり、図（Ｂ）は側面断面図である。
【図１０】従来の光シャッターにおける、光源を発光させた不可視状態を拡大して示す側面断面図である。
【符号の説明】
【００４８】
１…導光板  １ａ…表面  １ｂ…裏面  ２…小口面  ３…シャッター領域  ４…光源
Ｋ…透過光  Ｌ…入射光  Ｍ…散乱  １０，２０，３０…本発明光シャッター
１１…多孔シート  １１ａ…一方面  １１ｂ…他方面  １１ｃ…孔
１２…防汚用シート  １３…貼着用シート  Ｐ１…模様  ２１…シート  ２１ａ…一方面
２１ｂ…他方面  ２２…光散乱部  ２３…光散乱部以外の箇所  ２４…貼着用シート
Ｐ２…模様  ３１…光散乱部  ３２…光散乱部を除く箇所  ３３…防汚用シート
Ｐ３…模様
【図１】
2009003341.tif 000003
【図２】
2009003341.tif 000004
【図３】
2009003341.tif 000005
【図４】
2009003341.tif 000006
【図５】
2009003341.tif 000007
【図６】
2009003341.tif 000008
【図７】
2009003341.tif 000009
【図８】
2009003341.tif 000010
【図９】
2009003341.tif 000011
【図１０】
2009003341.tif 000012